(57)【特許請求の範囲】
【請求項１】
雨樋部の長手方向に沿った照明組込部が、雨樋部を構成する前板の上端にて、当該前板よりも前方に突出し、且つ雨樋部を構成する後板の上端よりも高い位置に設けられており、
複数の照明器具が、照明組込部にて、照明組込部を構成する底板から下方に照明光を出射するように、照明組込部の長手方向に連続して配設されており、且つ、
照明器具を駆動する電池のための電池組込部が、照明組込部に設けられている
ことを特徴とする照明組込み軒樋。
【請求項２】
長尺のケース体に複数の照明器具を長手方向に連続して内蔵した照明ユニットが、照明組込部に設けられていることを特徴とする請求項１記載の照明組込み軒樋。
【請求項３】
照明ユニットに電池組込部が設けられていることを特徴とする請求項２記載の照明組込み軒樋。
【発明の詳細な説明】
【技術分野】
【０００１】
本願発明は、ＬＥＤ等の照明器具を組み込んだ軒樋に関するものである。
【背景技術】
【０００２】
従来、たとえば図８および図９に例示したように、住宅等の軒先には軒樋Ｂ（雨樋とも呼ぶ）がしばしば設けられている。
【０００３】
一方で、昨今の防犯対策に対する関心の高まりから、夜間照明の重要性が見直されてきている。
【０００４】
また、夜間照明は、足元を照らす役割や、イルミネーションとしての役割を担うようにすることも考慮できる。
【０００５】
たとえば、軒先にて軒樋とともにＬＥＤ等の照明器具を取り付けて、軒下を照明することが既に提案されている（特許文献１、２、３参照）。
【特許文献１】特開２００４−１４３８２２号公報
【特許文献２】特開平８−３２６２４２号公報
【特許文献３】特開昭６２−１０７０２８号公報
【発明の開示】
【発明が解決しようとする課題】
【０００６】
本願発明は、以上のとおりの事情に鑑み、上記各従来例とは別に新たに、ＬＥＤ等の照明器具を組み込んで、軒先からの防犯対策、足元照明、イルミネーション等の効果的な夜間照明を実現することのできる照明組込み軒樋を提供することを課題としている。
【課題を解決するための手段】
【０００７】
本願発明の照明組込み軒樋は、上記の課題を解決するものとして、第１には、雨樋部の長手方向に沿った照明組込部が、雨樋部を構成する前板の上端にて、当該前板よりも前方に突出し、且つ雨樋部を構成する後板の上端よりも高い位置に設けられており、複数の照明器具が、照明組込部にて、照明組込部を構成する底板から下方に照明光を出射するように、照明組込部の長手方向に連続して配設されており、且つ、照明器具を駆動する電池のための電池組込部が、照明組込部に設けられていることを特徴とする。
【０００８】
第２には、長尺のケース体に複数の照明器具を長手方向に連続して内蔵した照明ユニットが、照明組込部に設けられていることを特徴とする。
【０００９】
第３には、照明ユニットに電池組込部が設けられていることを特徴とする。
【発明の効果】
【００１０】
上記第１〜第３の発明によれば、住宅等の軒先に設けられている雨樋を、ＬＥＤ等の照明器具を組み込んで、軒先からの防犯対策、足元照明、イルミネーション等の効果的な夜間照明を実現することのできる照明組込み軒樋とすることができる。また、照明器具は照明組込み軒樋として軒先に取り付けられるので、またさらには、照明器具を駆動する電池も照明組込み軒樋内に設けられることになるので、建物全体の外観性を損ねることもない。
【発明を実施するための最良の形態】
【００１１】
図１および図２は、本願発明の一実施形態を示したものである。
【００１２】
これら図１および図２に例示したように、本願発明の照明組込み軒樋Ａは、雨水１０を流す雨樋部１、照明機能を付加するための照明組込部２、および照明光３０を出射する照明器具３を備えている。
【００１３】
雨樋部１は、雨水１０を受けて縦樋（図示なし）等に流す形態を有し、少なくとも前板１１、後板１２および底板１３により構成されている。後板１２が軒先側に位置して、取付金具等を介して軒先に取り付けられる。
【００１４】
照明組込部２は、照明器具３を組込可能な形態を有する、雨樋部１の長手方向に沿った長尺板状のものであり、雨樋部１を構成する前板１１の上端にて、前板１１よりも前方に突出し、且つ雨樋部１を構成する後板１２の上端よりも高い位置に設けられている。また、組み込まれる照明器具３からの照明光３０を下方に取り出すための出射口２１１が、照明組込部２を構成する底板２１に設けられてもいる。
【００１５】
照明器具３は、照明組込部２の長手方向に沿って連続して配設されて、照明組込部２の底板２１から下方に向けて照明光３０を出射する。
【００１６】
この照明器具３としては、高輝度且つ高指向性のＬＥＤ３１を用いることができる。この場合、たとえば図３に例示したように、照明組込部２における組込箇所の形態に合わせた長尺角筒形状のケース体３２に、複数のＬＥＤ３１をその長手方向に連続して内蔵一体化させた照明ユニット３３として、照明組込部２に組み込むようにしてもよい。照明組込部２への固定は、水平な底板２１への接着やネジ止め等により行う。
【００１７】
照明ユニット３３については、ＬＥＤ３１とともに、その駆動に必要な電力源や回路基板等（図示なし）を内蔵させる。また、長手方向に連続配設した各ＬＥＤ３１からの光が下方に出射されるように、ケース体３２の底板３２１を図示したように透明板３２１’で構成したり、底板３２１に出射口（図示なし）を設けたりしてもよい。
【００１８】
以上のとおりの照明組込み軒樋Ａによれば、雨樋部１の前板１１の上端にて前方に突出した照明組込部２に組み込まれた照明器具３から、照明光３０が下方に向けて出射されることとなり、この照明光３０が、図４および図５に例示したようなダウンライトとなって、軒先のイルミネーションや防犯対策になり、図６に例示したような軒先から玄関先に向けて光る足元ライトにもなり、優れた夜間照明を提供する。また、雨樋と夜間照明とを兼ねた照明組込み軒樋Ａなので、建物全体の外観性を損ねることもない。
【００１９】
ここで、照明組込部２を雨樋部１の前板１１よりも前方に突出させたのは、照明光３０を雨樋部１に邪魔されることなく、より下方に到達させるためである。
【００２０】
この照明光３０によるより効果的な夜間照明を実現すべく、たとえば図２に例示したように、雨樋部１の前板１１を、照明光３０を拡散させるＲ形状を有するものとしてもよい。このＲ形状を持つ前板１１によって、ダウンライトとしての照明光３０が拡散されて、降雨もかかり難くなり、より明るい照明を提供することができる。
【００２１】
また、照明組込部２を雨樋部１の後板１２の上端よりも高い位置に設けたのは、後板１２の上端位置は雨樋部１にて雨水１０が満水になるラインと同じであり、この満水ラインよりも高く位置させることで、降雨時に雨樋部１を流れる雨水１０が照明組込部２や照明器具３にかかることを防ぐためである。
【００２２】
降雨の影響をさらに考慮した形態として、たとえば図１に例示したように、照明組込部２を構成する前板２２を後方に傾斜させたり、前板２２の上端を雨樋部１側に折り曲げたりしてもよい。前者の傾斜形態によれば、降雨時の雨だれを最小限にとどめることができ、後者の折曲形態によれば、折曲部２３が照明器具３上方を覆う傘のような役割を担うことができ、照明器具３の防水対策となる。
【００２３】
さらには、図８および図９に例示したように、通常、軒先に雨樋を設ける場合においては雨水飛出曲線や雨水飛散曲線を考慮するが、本願発明においても、照明組込部２を、これら雨水飛出曲線や雨水飛散曲線にかからない位置に設けることも好ましい形態である。
【００２４】
なお、照明器具３としては、ＬＥＤ３１の他にも、白熱電球等を用いることができるが、上記ダウンライトのようなイルミネーション効果や防犯効果、足元照明効果を持つ夜間照明を可能ならしめる、高輝度且つ高指向性の照明器具３が好ましいといえる。
【００２５】
ところで、本願発明では、さらに、上記のとおりの照明組込部２に配設される照明器具３を駆動する電池のための電池組込部４をも、照明組込部２に設けている。
【００２６】
より具体的には、図１の実施形態では、上述した照明ユニット３３に、ＬＥＤ３１（図３参照）とともに電池４１を内蔵させており、電池蓋４２を開閉して交換自在となっている。
【００２７】
この照明ユニット３３を照明組込部２に取り付けることで、照明器具３とともに電池４１をも、より安全に照明組込部２に固定することができる。また、メンテナンス時も、図７に例示したように、照明ユニット３３が雨樋部１の前板１１上方に位置しているので、照明組込み軒樋Ａを軒先に取り付けた状態のまま、比較的容易に電池４１の交換を行うことができる。
【００２８】
電池４１については、照明器具３を駆動できるものであれば特に限定されず、充電式のものであってもよい。
【図面の簡単な説明】
【００２９】
【図１】本願発明の一実施形態を示した斜視図。
【図２】本願発明の一実施形態を示した断面図。
【図３】照明ユニットの組み込みについて説明するための断面図。
【図４】照明効果について説明するための模式図。
【図５】照明効果について説明するための別の模式図。
【図６】照明効果について説明するためのさらに別の模式図。
【図７】本願発明について説明するための模式図。
【図８】従来の軒樋の一例を示した断面図。
【図９】従来の軒樋の別の一例を示した断面図。
【符号の説明】
【００３０】
１  雨樋部
１０  雨水
１１  前板
１２  後板
１３  底板
２  照明組込部
２１  底板
２１１  出射口
２２  前板
２３  折曲部
３  照明器具
３０  照明光
３１  ＬＥＤ
３２  ケース体
３２１  底板
３２１’透明板
３３  照明ユニット
４  電池組込部
４１  電池
４２  電池蓋
Ａ  照明組込み軒樋
Ｂ  軒樋
【図２】
0004595765.tif 000002
【図３】
0004595765.tif 000003
【図５】
0004595765.tif 000004
【図７】
0004595765.tif 000005
【図１】
0004595765.tif 000006
【図４】
0004595765.tif 000007
【図６】
0004595765.tif 000008
【図８】
0004595765.tif 000009
【図９】
0004595765.tif 000010